(57)【要約】      （修正有）【課題】  植物・鉱物性の微粉砕を行うとき、コンタミネ−ションを防ぎ、イニシャルコスト・ランニングコスト・メンテナンスを容易にし、耐久性が要求され、廉価で使い勝手のよい微粉砕機を提供する。【解決手段】  更に熱発生を極力押さえ微粉砕製品の熱劣化を防止するため、ケ−シングを球形又は楕円球形にし、被粉砕物送り込回転盤及び粉砕室の双璧の回転盤を曲面対にすることで、曲面回転運動はメビウスに近い複雑な接触挙動を示し、植物由来或は鉱物質についても短時間で微粉砕を可能にした。【選択図】図１
2005329383.tif 000002
【特許請求の範囲】
【請求項１】
球形又は楕円球形のケ−シング内で曲面体の回転体を複数面取付、縦軸又は横軸で設置し、被粉砕物を投入する側の反対側に粉砕物排出口を持ち、吸引ブロア−によって取り出すことを特徴とする粉砕機。
【請求項２】
前記請求項１の粉砕機で複数の曲面回転体に被粉砕物が曲面間に自由に浮き上がり、被粉砕物が遠心力で一方的に円周方向に押し付けられることなく、浮き上がった状態で、被粉砕物が相互に磨り合わされ流体せん断力と粒子同志の高速衝突現象を発生し、粉砕を効果的に行うことを特徴とする粉砕機。
【請求項３】
請求項１・２の粉砕機で曲面回転体に任意の穴を刳貫く或はスリットを入れる。球形又は楕円球形のケ−シングは中央脱着部にパッキングを施し、ワンタッチで着脱を可能にし、粉砕室の清掃を容易にし、他品質の粉砕物に対応できることを可能にしたことを特徴とする粉砕機。
【請求項４】
請求項１・２・３の粉砕機で縦型の構造を持つ粉砕機において、球形又は楕円球形のケ−シング内最低部に任意の数のフインを取付けた被破砕物送り込回転盤を取り付け、該回転盤を回転することによって被破砕物を浮き上がらせメビウス効果により、粉砕室に送り込むことを目的としたことを特徴とする粉砕機。
【発明の詳細な説明】
【技術分野】
【０００１】  農産物、鉱物、その他含水性の廃棄物を乾燥して微粉砕し、粉炭燃料化を図るときに使用できる粉砕機がなかった。
【背景技術】
【０００２】  小麦粉、セメント等はロ−ラ−ミルが主流であり、大型で、駆動エネルギ−も大きく、価格も高く、その他ボ−ルミル、振動ミル、ハンマ−ミル等粉砕機の種類は多いが、扱いが簡便で、小型で、騒音も小さく安価な粉砕機を選ぶことが難しく、これはと思える機種がなかった。
【発明の開示】
【発明が解決しようとする課題】
【０００３】  従来の粉砕方法は穀物や鉱物を目的にしており、エネルギ−消費が大きく微粉砕、例えばミクロオ−ダ−にしようとすると、粉砕時間も長く、効率が悪いため、処理能力に原型があった。食品等微粉砕した後に価値あるものであれば、ロ−ラ−ミル等で粉砕して篩いかけ一定の粒径分布に揃えて商品化することになるが、セメント焼成用燃料になる粉炭も８０ミクロン乃至１００ミクロンに微粉砕して用いる場合が多い。【０００４】  ロ−ラ−ミル以外で原料と原料を互いに摩擦させる方法でピンミルや特公平７−４５５３のように円筒のケ−シング内で２枚の円盤回転させ微粉砕する方法があるが、円盤を高速回転させたり、容積を大きくすると遠心力で円盤の外側へ被乾燥物が寄せられ、Ｇがかかり、その圧力で回転盤が破断するため金属疲労に耐えられるよう回転盤の厚さを極度に厚くする必要があり、大容量の粉砕室を持つ粉砕機を作るには限界が有った。
【課題を解決するための手段】
【０００５】  本人特願（平１０−５１８１９７）反応性流体の触媒反応等による化学物質の製造方法及び装置に詳細に記述されているが、水平の円盤状の回転体を回転すると回転体に当った個体は円盤に添って水平方向に押し出されるが、曲面の回転体を回転すると回転体に当った個体は円盤に添って浮き上がり、中空に舞い曲面の末端部に押し出されるだけの単純な動きではなく、浮き上がったり降下したりしながら回転するという複雑な動きが見られるので個体と固体の混合衝突を繰り返す粉砕に最も適した挙動を行うため、微粉砕が速やかに行われる。【０００６】  曲面回転体は屈折状を呈しており、平らな円盤では耐えられない圧力に対しても、金属疲労を起すことなく、比較的薄い板でも充分強度があり永年の使用に耐えられる。又曲面回転体を被っているケ−シングも球形又は楕円球形のため粉砕室も広く取ることができ、回転速度をあげることなく大量の微粉砕を行うことができる粉砕機を提供する。【０００７】  モ−タ−に連動する回転軸を垂直に取り付けた時、被粉砕物が底面になるので比重が大きく粒径も大きいものは、粉砕室へ上がっていくのに時間がかかる可能性があるため、前記本人特願（平１０−５１８１９７）に紹介されているように、球形底面に曲面回転体の凸面に任意の数のフィンを取り付け、モ−タ−を駆動して回転軸が回転するに従いフイン付の曲面回転体が被粉砕物投入口より粉砕室に速やかに送り込みができるよう、被粉砕物送り込み装置を付けたを特徴とする粉砕機を提供する。【０００８】  ケ−シングはパッキング付の嵌め込み方法を採用することで脱着を速やかにし、ケ−シング内の清掃や、紛砕物の原料の切り替えが速やかに行え、一機種で多様途の粉砕が短時間で切り替えられることを可能にし、異質の粉砕物が混合しないよう、清掃することも簡単に行えることにしたことを特徴とする粉砕機。
【発明の効果】
【０００９】  植物性或は鉱物性の被粉砕物を微粉砕する場合、粉砕物の粒径が一律に分級できると共に多品種少量破砕が連続して行え使い勝手もよく、破砕室の清掃にも時間が掛からず、即応でき、しかもイニシャルコスト、ランニングコスト、メンテナンスフイ、何れも廉価に設定することができるとなれば、需要家に取っては大いに福音となる微粉砕機が提供できる。【００１０】  本破砕機は球形又は楕円球形のケ−シングと回転盤を曲面状にすることによって、平らな円盤を回転して、回転円盤に直接高負荷のＧを与え、平らな円盤に大きな圧力をかけて円盤の金属疲労を防止する構造になっているので、平らな円盤方式のように破砕容量を上げるために、円盤の厚さを際限なく厚くしなくても、耐えられるので大容量微粉砕機も難なく作ることが可能になる。【００１１】  微細粒径を分級して均一に揃えて回収する機構として破砕室で破砕した粒径を第２半月回転盤とケ−シングの間隙を擦り抜けて通過する時に、予め設定した間隙が分子篩いの役目を負っている。一定の吸引ブロア−で回収されるので粒径が大きく変化することはなくなる。曲面を持つ第１半月回転盤の先端は鋭利な刃物の役目をし、被破砕物を破断する。【００１２】  破砕室内の気体の流れは曲面回転盤の回転によって被破砕物と共に浮き上がる方向と回転方向がない混ぜになりメビウスの輪のように二重連結した環様を呈した挙動が見られ、平らな円盤を高速回転して遠心力によって外周辺へ押し付けられるような単純な旋回運動ではなく、被破砕物が繰り返し接触する。即ち接触面積と接触回数が増大する全く異質の作用によって微粉砕効果を上げる事実が証明される。【００１３】  接触効果と複雑な衝突現象で破砕効果が促進されると必然的に破砕時間が短縮され、駆動エネルギ−の減少から、ランニングコストに好影響を及ぼし、シンプルな構造が、メンテナンスを容易にし、故障原因を起さない等総てよい方へ連鎖していく破砕機を提供できる。
【発明を実施するための最良の形態】
【実施例】
【００１４】  図面は本発明に係る破砕機の実施例を示し、図面は一連の形態と断面図及部品の斜視図である。【００１５】  図１、は横置型楕円球形サイクロン微紛砕機。図２は、横置型球形サイクロン微粉砕機。図３、は縦置型楕円球形サイクロン微粉砕機。図４、は縦置型球形サイクロン微粉砕機の断面図。図５、は１４被粉砕物送り込回転盤の斜視図、である。図中１は微粉砕機のケ−シングで、被粉砕物投入口９より投入された被粉砕物は、縦置型ではフイン１５を任意の数、取付けられた被粉砕物送り込回転盤１４を電動機４によって連結するシャフト５を回して回転し、被粉砕物を浮き上がらせ粉砕室８に送り込む。縦置型の特徴はフイン１５を任意の数取付けた被粉砕物送り込回転盤１４が有るか無しの違いで後は横置型と共通である。【００１６】  被粉砕物は第１曲面回転盤２のスリットや穴から粉砕室８に入り微粉砕された後、第２半月回転盤３とケ−シング１の間隙から吸引ブロア１１によって吸引され、粉砕物排出口１０で回収される。第２曲面回転盤３は電動機６に連結するシャフト７によって回転する。ケ−シング１の内部を清掃する時等は、パッキング１３付ケ−シング脱着部１２によって２分割し、内部清掃や探検等を行うことができる。
【営業上の利用可能性】
【００１７】  本発明は植物性のコ−ヒ−粕を乾燥した後微粉砕し、粉炭バ−ナ−による燃料化を目的にしたシステムの一連の技術として開発したものである。コ−ヒ−粕は乾燥すると４０００Ｋｃａｌのエネルギ−を持つがコ−ヒ−を抽出した後、高含水性廃棄物としてセメントキルンの高温時冷却材として投入し、焼却処分されていた。しかし高含水性の廃棄物は処理費が高額のため、リサイクル方法が模索されていたが炭化炉，コンポストを図るにしても、乾燥が進まないとランニングコストが嵩み、廃棄物処理費用以上にコストが掛るなど問題になっていた。
【００１８】  本人特願（２０００−４０４３１２）の旋回流熱風乾燥装置によって乾燥問題が一挙に解決され、更にバイオマスによる発電燃料化を強力に進める新エネルギ−法の制定から新開発の燃料が有望視され、植物由来の廃棄物を乾燥し、微粉砕することによって、微粉炭バ−ナ−を使用したコ−ヒ−粕・茶カス燃料によるボイラ−や乾燥装置の化石燃料に代替するバイオマス燃料の実現を図る一環として微粉砕機を提供するものである。
【図面の簡単な説明】
【００１９】
【図１】横置型楕円球形サイクロン微粉砕断面図面
【図２】横置型球形サイクロン微粉砕機断面図
【図３】縦置型楕円球形サイクロン微粉砕機断面図
【図４】縦置型球形サイクロン微粉砕断面図
【図５】被粉砕物送り込回転盤の斜視図
【符号の説明】
【００２０】１．  ケ−シング
２．  第１曲面回転盤
３．  第２曲面回転盤
４．  電動機
５．  シャフト
６．  電動機
７．  シャフト
８．  粉砕室
９．  被粉砕物投入口
１０．粉砕物排出口
１１．吸引ブロア−
１２．ケ−シング脱着部
１３．パッキング
１４．被粉砕物送り込回転図
１５．フイン
【図１】
2005329383.tif 000003
【図２】
2005329383.tif 000004
【図３】
2005329383.tif 000005
【図４】
2005329383.tif 000006
【図５】
2005329383.tif 000007